【事件の表示】
　特許第３０９９６６２号「液晶表示用カラーフィルタ」の請求項１ないし６に係る特許に対する特許異議の申立てについて、次のとおり決定する。
【結　論】
　訂正を認める。
　特許第３０９９６６２号の請求項１ないし４に係る特許を維持する。
【理　由】
１、手続の経緯
　本件特許第３０９９６６２号の発明は、平成７年１月２７日に出願され、平成１２年８月１８日にその特許の設定登録がなされ、その後林直子より特許異議の申立がなされ、取消理由が通知なされ、その指定期間内である平成１３年９月１１日に訂正請求（その後取下げ）がなされ、再度の取消理由通知がなされ、その指定期間内である平成１３年１０月１８日に訂正請求がなされたものである。
　
２、訂正の適否についての判断
（１）訂正の要旨
　訂正事項a
　特許請求の範囲
「【請求項１】透明基板１１上にカラー着色層１２によるカラー表示用の各色画素R、G、Bが多数規則的に配列され且つ該画素１つずつの隣接境界部に遮光性ブラックマトリクス１３が形成された矩形状の画素領域Iと、該画素領域Iの外側に連続して設けられた外郭状の遮光性非画素領域Nとを備えたビーズ分散型カラー液晶表示パネル用の液晶表示用カラーフィルタにおいて、遮光性非画素領域Nの遮光性パターン２０が膜厚tn＝０．４〜０．６μm未満の薄膜状に形成されていることを特徴とする液晶表示用カラーフィルタ。
【請求項２】前記遮光性ブラックマトリクス１３がクロム蒸着膜を除く樹脂ブラックである請求項１記載の液晶表示用カラーフィルタ。
【請求項３】前記遮光性ブラックマトリクス１３が膜厚ti＝０．４〜０．６μmである請求項１又は請求項２記載の液晶表示用カラーフィルタ。
【請求項４】前記遮光性ブラックマトリクス１３が光学濃度D＝１．２〜１．５である請求項１乃至請求項３記載の液晶表示用カラーフィルタ。
【請求項５】前記遮光性パターン２０が光学濃度D＝１．２〜１．５若しくはそれ以上である請求項１記載の液晶表示用カラーフィルタ。
【請求項６】前記カラー着色層１２上に、オーバーコート層１４、又はオーバーコート層１４と透明電極膜１５とが設けられている請求項１記載の液晶表示用カラーフィルタ。」
　を以下のように訂正する。
「【請求項１】透明基板１１上にカラー着色層１２によるカラー表示用の各色画素R、G、Bが画素ピッチ６０〜３００μmで多数規則的に配列され且つ該画素１つずつの隣設境界部に線幅１０〜５０μmの遮光性ブラックマトリクス１３が形成された矩形状の画素領域Iと、該画素領域Iの外側に連続して設けられた外郭状の遮光性非画素領域Nとを備え、粒径４〜８μmのビーズが前記画素領域Iと遮光性非画素領域Nとに亘って分散して搭載したビーズ分散型カラー液晶表示パネル用の液晶表示用カラーフィルタであって、前記ビーズを搭載した遮光性非画素領域Nの遮光性パターン２０が膜厚tn＝０．４〜０．６μm未満の薄膜状に形成され、前記ビーズを搭載した遮光性ブラックマトリクス１３が膜厚ti＝０．４〜０．６μmであり、且つ前記遮光性パターン２０及び遮光性ブラックマトリクス１３がアクリル系フォトレジスト樹脂１８重量％、カーボンブラック５２重量％および有機溶剤３０重量％からなる遮光性樹脂剤で形成された樹脂ブラックとすることにより、透明基板１１上及びブラックマトリクス１３上と、遮光性パターン２０上とに被覆されたそれぞれカラー着色層１２上面を互いにほぼ同一高さとし、かつ、遮光性パターン２０に十分な遮光性能を得たことを特徴とする液晶表示用カラーフィルタ。
【請求項２】前記遮光性ブラックマトリクス１３が光学濃度D＝１．２〜１．５である請求項１記載の液晶表示用カラーフィルタ。
【請求項３】前記遮光性パターン２０が光学濃度D＝１．２〜１．５若しくはそれ以上である請求項１又は２記載の液晶表示用カラーフィルタ。
【請求項４】前記カラー着色層１２上に、オーバーコート層１４、又はオーバーコート層１４と透明電極膜１５とが設けられている請求項１記載の液晶表示用カラーフィルタ。」
　
　訂正事項b　
　特許明細書中の【００２１】
「【課題を解決するための手段】本発明は、透明基板１１上にカラーー着色層１２によるカラー表示用の各色画素R、G、Bが多数規則的に配列され且つ該画素１つずつの隣接境界部に遮光性ブラックマトリクス１３が形成された矩形状の画素領域Iと、該画素領域Iの外側に連続して設けられた外郭状の遮光性非画素領域Nとを備えたビーズ分散型カラー液晶表示パネル用の液晶表示用カラーフィルタにおいて、遮光性非画素領域Nの遮光性パターン２０が膜厚tn＝０．４〜０．６μm未満の薄膜状に形成されていることを特徴とする液晶表示用カラーフィルタである。」
　を以下のように訂正する。
「【課題を解決するための手段】本発明は、透明基板１１上にカラー着色層１２によるカラー表示用の各色画素R、G、Bが画素ピッチ６０〜３００μmで多数規則的に配列され且つ該画素１つずつの隣接境界部に線幅１０〜５０μmの遮光性ブラックマトリクス１３が形成された矩形状の画素領域Iと、該画素領域Iの外側に連続して設けられた外殻状の遮光性非画素領域Nとを備え、粒径４〜８μmのビーズが前記画素領域Iと遮光性非画素領域Nとに亘って分散して搭載したビーズ分散型カラー液晶表示パネル用の液晶表示用カラーフィルタであって、前記ビーズを搭載した遮光性非画素領域Nの遮光性パターン２０が膜厚tn＝０．４〜０．６μm未満の薄膜状に形成され、前記ビーズを搭載した遮光性ブラックマトリクス１３が膜厚ti＝０．４〜０．６μmであり、且つ前記遮光性パターン２０及び遮光性ブラックマトリクス１３がアクリル系フォトレジスト樹脂１８重量％、カーボンブラック５２重量％および有機溶剤３０重量％からなる遮光性樹脂剤で形成された樹脂ブラックとすることにより、透明基板１１上およびブラックマトリクス１３上と、遮光性パターン２０上とに被覆されたそれぞれカラー着色層１２上面を互いにほぼ同一高さとし、かつ、遮光性パターン２０に十分な遮光性能を得たことを特徴とする液晶表示用カラーフィルタである。」
　
（２）訂正の目的の適否、新規事項の有無及び拡張・変更の存否
　上記訂正事項aないしbは、特許明細書又は図面に記載した事項の範囲内において、上記の訂正を求めるものであり、該訂正事項aは、特許請求の範囲の減縮に該当し、上記訂正事項bは、明瞭でない記載の釈明に該当し、いずれの訂正事項も新規事項の追加に該当せず、実質上特許請求の範囲を拡張し、変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３、特許異議の申立についての判断
（１）異議申立て理由の概要
　異議申立人林直子は、本件請求項１ないし６に係る発明（訂正前の発明）について、以下のような主張をなし、その特許の取消を求めている。
　即ち、異議申立人林直子は、下記の甲第１号証ないし甲第４号証刊行物を提出し、本件請求項１ないし６に係る発明は、これらの提出された甲各号証刊行物に記載された発明に基づいて当業者が容易に発明をすることができたものであるから、該発明の特許は取り消されるべきであると主張している。
　
　甲第１号証刊行物　特開平６−２７３７４３号公報
　甲第２号証刊行物　特開平５−２４９３１０号公報
　甲第３号証刊行物　特開昭６４−５９３１８号公報
　甲第４号証刊行物　フラットパネル・ディスプレイ１９９２，１９２〜１９６頁（１９９１年１１月１９日、日経BP社発行）
　
（２）本件発明
　訂正明細書の請求項１ないし４に記載されている事項により特定される発明は、上記２−（１）の訂正事項aに記載のとおりのものである。
　
（３）甲各号証刊行物記載の発明
  甲各号証刊行物にはそれぞれ以下のような事項が記載されている。
　
　甲第１号証刊行物
「ガラス基板１上に所定の形状にパターニングされた透明電極３が配置され、その透明電極３上に、赤、緑、青のカラーフィルター層２R，２G，２Bが順次繰り返し電着法により約１．４μｍの厚さで形成されている。上記カラーフィルター層の隙間とシール部にはそれぞれブラックマトリクス層４、１２が約１．４μmの厚さで設けられている。ブラックマトリクス層の形成方法は、例えば黒色の顔料を分散したネガ型感光性樹脂を印刷等で塗布してガラス基板１の裏面より露光して形成される。さらにカラーフィルター層２R，２G，２Bとブラックマトリクス層４、１２の上には、スピンコーター等によりトップコート層５が約４μmの厚みで設けられている。このトップコート層５の上には、再びパターニングされた透明電極６が設けられている。」（公報、第２頁右欄第４１行〜第３頁左欄第５行）。
「両基板間のシール部９と隙間kと表示部を形成するセルギャップの隙間hがほぼ等しい。したがって、シール部９中に混入されるスペーサーの粒径と表示部スペーサー１１の粒径はほぼ等しいものを使用される。例えば、シール部スペーサーは６．０μmのグラスファィバー粉末を２．０Wt％の比率で含んだエポキシ系.シール剤をスクリーン印刷にて約３０μmの厚さに塗布し、表示部スペーサー１１として６．０μmのプラスチックスペーサーを分散配置した後、０．４Kg／cの圧力で加圧、圧着して貼り合わせた。その結果、この液晶セルのギャップは±０．４μmの均一性の良好なものであり、シール部近傍のギャップのコントロールも容易になった。」（公報、第３頁左欄第１１行〜２３行）
　なる記載事項と図面の記載。
　
　甲第２号証刊行物
「このような黒色のカラーレジストを用いたブラックマトリクスは、・・・低減できるという長所を有するものの、光遮断性が十分でなく、膜厚を厚くせねばならず、このように厚い膜の上に前記の着色セルをオーバーラップさせた上に透明電極や配向膜などを配設すると、配向膜の表面は凹凸が顕著になり、これが原因で、配向膜に配向処理を施したときに配向欠陥が生じたり、液晶セルのセルギャップが不均一になるという問題があった。」（公報、第２頁右欄第２３行〜３４行）。
「このようにして製造された本発明に係るカラーフィルタの遮光層としてのブラックマトリクス２は、図２の表に示すように、膜厚が０．５μmのとき光学濃度が２．０、膜厚が０．８μmのとき光学濃度が３．５、のように、１．０μm以下の膜厚で十分な光遮断性を実現している。」（公報、第３頁右欄第３５行〜４０行）。
　なる記載事項と図面の記載。
　
　甲第３号証刊行物
「半透明フィルタの光学的濃度が、０．３乃至１．５である特許請求の範囲第１項記載のカラー液晶表示装置。」（公報、第１頁特許請求の範囲）。
「半透明フィルタ１８の光学的濃度O．D．が０．３乃至１．５の範囲内にあれば、上述したようなこの半透明フィルタ１８による他の色のフィルタ１２、１４、１６への加色が可能であることが確認された。」（公報、第３頁右下欄第３行〜７行）。
　なる記載事項と図面の記載。
　
　甲第４号証刊行物
　１９５頁の「基板間隔制御の鍵を握るスペーサ」の項及び図７における、ビーズ分散型の液晶表示装置におけるビーズの散布方法に関する記載。
　
（４）対比・判断
　本件訂正明細書に記載された特許請求の範囲の請求項１に係る発明（以下、「本件発明１」という。）と、異議申立人が提出した上記甲各号証に記載された発明とを対比すると、上記甲各号証に記載された発明には、それぞれ上述したような事項が記載されているところであるが、これらの発明のいずれにも、本件発明１を特定する事項である「遮光性パターン２０及び遮光性ブラックマトリクス１３がアクリル系フォトレジスト樹脂１８重量％、カーボンブラック５２重量％および有機溶剤３０重量％からなる遮光性樹脂剤で形成された樹脂ブラックとする」とした構成を具備する点については記載されていない。
　そして、本件発明１の上記の特徴的な構成は、甲各号証に記載された発明から自明のものではなく、また、これらの各発明を如何様に組み合わせても容易に導き出せるものではない。
　即ち、甲第１号証刊行物に記載された発明には、ガラス基板上にカラーフィルタ層２R，２G，２Bが多数規則的に配列され、各色画素１つずつの隣接境界部にブラックマトリクス層４が形成された画素領域と、該画素領域の外側に連続して設けられたブラックマトリクス層１２からなる非画素領域とを備えるスペーサ（ビーズ）型カラー液晶電気光学装置のカラーフィルタ基板において、画素領域とシール部を含む非画素領域のブラックマトリクス層を同様の膜厚となるようにして液晶セル全体のセルギャップの隙間を均一にする構成が記載されるところである。しかしながら、該発明には、前記構成が実質的に記載されるに止まるものであり、本件発明１の上記特徴的な構成については記載はなく、何らの示唆すらなされていない。そして、甲第２号証刊行物及び甲第４号証刊行物に記載された発明にはそれぞれ、カラーフィルタの遮光層としてのブラックマトリクスが０．５μｍの膜厚である構成と、ビーズ分散型の液晶表示装置が記載されており、また、甲第３号証刊行物に記載された発明には、光学濃度についての言及がなされているが、本件発明１に関して、他に注目すべき構成は、これらの発明には実質的に存在しない。してみれば、例え、甲第１号証刊行物に記載された発明と、これら甲第２号証ないし甲第４号証刊行物に記載された発明とを組合せても本件発明１の上記特徴的な構成は到底導き出せるものではない。
　
　そして、本件発明１は、該発明１を特定する上記特徴的な構成を備えることにより、本件訂正明細書に記載の本件発明１に特有の作用効果を奏するものであるから、本件発明１は、異議申立人林直子の提出した甲各号証に記載された発明に基づいて当業者が容易に発明をすることができたものではない。
　
　次に、本件請求項２ないし４に係る発明（以下、「本件発明２」ないし「本件発明４」という。）について検討すると、本件発明２ないし４はいずれも、本件発明１を特定する上記特徴的構成を備えるものであるから、本件発明１について述べた上述の理由により上記甲各号証刊行物に記載された発明に基づいて当業者が容易に発明をすることができたものではない。
　
（５）むすび
　以上のとおりであるから、特許異議の申立の理由によっては本件発明１ないし４についての特許を取り消すことはできない。
　また、他に本件発明１ないし４についての特許を取り消すべき理由を発見しない。
　したがって、本件発明１ないし４についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月２２日（２００１．１０．２２）
【訂正の要旨】
　訂正の要旨
　訂正事項ａ
　特許請求の範囲
「【請求項１】透明基板１１上にカラー着色層１２によるカラー表示用の各色画素Ｒ、Ｇ、Ｂが多数規則的に配列され且つ該画素１つずつの隣接境界部に遮光性ブラックマトリクス１３が形成された矩形状の画素領域Ｉと、該画素領域Ｉの外側に連続して設けられた外郭状の遮光性非画素領域Ｎとを備えたビーズ分散型カラー液晶表示パネル用の液晶表示用カラーフィルタにおいて、遮光性非画素領域Ｎの遮光性パターン２０が膜厚ｍ＝０．４〜０．６μｍ未満の薄膜状に形成されていることを特徴とする液晶表示用カラーフィルタ。
　【請求項２】前記遮光性ブラックマトリクス１３がクロム蒸着膜を除く樹脂ブラックである請求項１記載の液晶表示用カラーフィルタ。
　【請求項３】前記遮光性ブラックマトリクス１３が膜厚ｔｉ＝０．４〜０．６μｍである請求項１又は請求項２記載の液晶表示用カラーフィルタ。
　【請求項４】前記遮光性ブラックマトリクス１３が光学濃度Ｄ＝１．２〜１．５である請求項１乃至請求項３記載の液晶表示用カラーフィルタ。
　【請求項５】前記遮光性パターン２０が光学濃度Ｄ＝１．２〜１．５若しくはそれ以上である請求項１記載の液晶表示用カラーフィルタ。
　【請求項６】前記カラー着色層１２上に、オーバーコート層１４、又はオーバーコート層１４と透明電極膜１５とが設けられている請求項１記載の液晶表示用カラーフィルタ。」を、その減縮を目的として以下のように訂正する。
「【請求項１】透明基板１１上にカラー着色層１２によるカラー表示用の各色画素Ｒ、Ｇ、Ｂが画素ピッチ６０〜３００μｍで多数規則的に配列され且つ該画素１つずつの隣接境界部に線幅１０〜５０μｍの遮光性ブラックマトリクス１３が形成された矩形状の画素領域Ｉと、該画素領域Ｉの外側に連続して設けられた外郭状の遮光性非画素領域Ｎとを備え、粒径４〜８μｍのビーズが前記画素領域Ｉと遮光性非画素領域Ｎとに亘って分散して搭載したビーズ分散型カラー液晶表示パネル用の液晶表示用カラーフィルタであって、前記ビーズを搭載した遮光性非画素領域Ｎの遮光性パターン２０が膜厚ｔｎ＝０．４〜０．６μｍ未満の薄膜状に形成され、前記ビーズを搭載した遮光性ブラックマトリクス１３が膜厚ｔｉ＝０．４〜０．６μｍであり、且つ前記遮光性パターン２０及び遮光性ブラックマトリクス１３がアクリル系フォトレジスト樹脂１８重量％、カーボンブラック５２重量％および有機溶剤３０重量％からなる遮光性樹脂剤で形成された樹脂ブラックとすることにより、透明基板１１上及びブラックマトリクス１３上と、遮光性パターン２０上とに被覆されたそれぞれカラー着色層１２上面を互いにほぼ同一高さとし、かつ、遮光性パターン２０に十分な遮光性能を得たことを特徴とする液晶表示用カラーフィルタ。
　【請求項２】前記遮光性ブラックマトリクス１３が光学濃度Ｄ＝１．２〜１．５である請求項１記載の液晶表示用カラーフィルタ。
　【請求項３】前記遮光性パターン２０が光学濃度Ｄ＝１．２〜１．５若しくはそれ以上である請求項１又は２記載の液晶表示用カラーフィルタ。
　【請求項４】前記カラー着色層１２上に、オーバーコート層１４、又はオーバーコート層１４と透明電極膜１５とが設けられている請求項１記載の液晶表示カラーフィルタ。」
　訂正事項ｂ
　特許明細書中の【００２１】
　「【課題を解決するための手段】本発明は、透明基板１１上にカラー着色層１２によるカラー表示用の各色画素Ｒ、Ｇ、Ｂが多数規則的に配列され且つ該画素１つずつの隣接境界部に遮光性ブラックマトリクス１３が形成された矩形状の画素領域Ｉと、該画素領域Ｉの外側に連続して設けられた外郭状の遮光性非画素領域Ｎとを備えたビーズ分散型カラー液晶表示パネル用の液晶表示用カラーフィルタにおいて、遮光性非画素領域Ｎの遮光性パターン２０が膜厚ｔｎ＝０．４〜０．６μｍ未満の薄膜状に形成されていることを特徴とする液晶表示用カラーフィルタである。」
　を、その明りょうでない記載の釈明を目的として以下のように訂正する。
「【課題を解決するための手段】本発明は、透明基板１１上にカラー着色層１２によるカラー表示用の各色画素Ｒ、Ｇ、Ｂが画素ピッチ６０〜３００μｍで多数規則的に配列され且つ該画素１つずつの隣接境界部に線幅１０〜５０μｍの遮光性ブラックマトリクス１３が形成された矩形状の画素領域Ｉと、該画素領域Ｉの外側に連続して設けられた外郭状の遮光性非画素領域Ｎとを備え、粒径４〜８μｍのビーズが前記画素領域Ｉと遮光性非画素領域Ｎとに亘って分散して搭載したビーズ分散型カラー液晶表示パネル用の液晶表示用カラーフィルタであって、前記ビーズを搭載した遮光性非画素領域Ｎの遮光性パターン２０が膜厚ｔｎ；０．４〜０．６μｍ未満の薄膜状に形成され、前記ビーズを搭載した遮光性ブラックマトリクス１３が膜厚ｔｉ＝０．４〜０．６μｍであり、且つ前記遮光性パターン２０及び遮光性ブラックマトリクス１３がアクリル系フォトレジスト樹脂１８重量％、カーボンブラック５２重量％．および有機溶剤３０重量％からなる遮光性樹脂剤で形成された樹脂ブラックとすることにより、透明基板１１上及びブラックマトリクス１３上と、遮光性パターン２０上とに被覆されたそれぞれカラー着色層１２上面を互いにほぼ同一高さとし、かつ、遮光性パターン２０に十分な遮光性能を得たことを特徴とする液晶表示用カラーフィルタである。」
（５４）【発明の名称】
液晶表示用カラーフィルタ
（５７）【特許請求の範囲】
　【請求項１】
　透明基板１１上にカラー着色層１２によるカラー表示用の各色画素Ｒ、Ｇ、Ｂが
画素ピッチ６０〜３００μｍで
線幅１０〜５０μｍの
、粒径４〜８μｍのビーズが前記画素領域Ｉと遮光性非画素領域Ｎとに亘って分散して搭載した
であって
前記ビーズを搭載した
、前記ビーズを搭載した遮光性ブラックマトリクス１３が膜厚ｔｉ＝０．４〜０．６μｍであり、且つ前記遮光性パターン２０及び遮光性ブラックマトリクス１３がアクリル系フォトレジスト樹脂１８重量％、カーボンブラック５２重量％および有機溶剤３０重量％からなる遮光性樹脂剤で形成された樹脂ブラックとすることにより、透明基板１１上及びブラックマトリクス１３上と、遮光性パターン２０上とに被覆されたそれぞれカラー着色層１２上面を互いにほぼ同一高さとし、かつ、遮光性パターン２０に十分な遮光性能を得たこと
　【請求項２】　
前記遮光性ブラックマトリクス１３が光学濃度Ｄ＝１．２〜１．５である請求項１記載の液晶表示用カラーフィルタ。
　【請求項３】　
前記遮光性パターン２０が光学濃度Ｄ＝１．２〜１．５若しくはそれ以上である請求項１又は２記載の液晶表示用カラーフィルタ。
　【請求項４】　
前記カラー着色層１２上に、オーバーコート層１４、又はオーバーコート層１４と透明電極膜１５とが設けられている請求項１記載の液晶表示用カラーフィルタ。
【発明の詳細な説明】
　【０００１】
　【産業上の利用分野】
　本発明は、透明ビーズスペーサを分散塗布して液晶を封入したビーズ分散型のカラー液晶表示パネルに使用されるカラーフィルタであって、透明基板上にカラー表示用の画素が多数規則的に配列され且つ該画素１つずつの隣接境界部に細線状の遮光性ブラックマトリクスパターンが形成された矩形状の画素領域と、該画素領域の外側に連続して設けられた外郭状の遮光性非画素領域とを備えたカラーフィルタにおける前記遮光性非画素領域を改良した液晶表示用カラーフィルタに関する。
　【０００２】
　【従来の技術】
　ビーズ分散型カラー液晶表示パネルは、図５のパネル片側のＸ−Ｘ部分概要側断面図に示すように、透明基板１（ガラス基板）の片側に、アクティブマトリクス状若しくは通電パターン状（ストライプ状）に、膜厚３００〜２０００Å、若しくは２０００〜４０００Åの透明電極膜２（ＩＴＯ膜等）を設けて第１基板Ａが形成されている。
　【０００３】
　また上記図５及び図６（ａ）のカラーフィルタ片側のＸ−Ｘ部分側断面図、６（ｂ）のカラーフィルタ部分平面図、図６（ｃ）のカラーフィルタ全体概要平面図に示すように、これと対向する他方の透明基板１１（ガラス基板）には、カラー液晶表示用のカラー画素（ピクセル）となる矩形状の平面形状（他にハニカム形状、円形状等でもよい）のカラー着色されたレッドＲ、グリーンＧ、ブルーＢからなる各色の画素層１２（例えば厚さ１．０〜２．５μｍ程度）が多数規則的に配列され、該各画素層１２の画素１つずつの互いに隣設境界部に、細線状の遮光性ブラックマトリクス１３（例えば厚さ０．６〜０．８μｍ程度の不透明パターン）が形成されて、全体的に矩形状の画素領域Ｉが設けられている。
　【０００４】
　また図５及び図６（ａ）〜（ｃ）に示すように、前記画素領域Ｉの外側には、該画素領域Ｉを取り囲むように前記遮光性ブラックマトリクス１３と連続するべた状の遮光層１６（例えば厚さ０．６〜０．８μｍ程度の不透明層）により形成された外郭状（例えば矩形リング状）の遮光性非画素領域Ｎが設けられている。
　【０００５】
　そして、図５に示すように、前記基板１１上に形成された矩形状の画素領域Ｉ全面と、外郭状の非画素領域Ｎ全面若しくは内側部分に懸けて画素層１２を形成し、該画素層１２上全面に、合成樹脂製の厚さ２μｍ〜３μｍ程度の透明オーバーコート層１４と、前記各色の画素層１２上に全面的に若しくは通電パターン状（ストライブ状の前記透明電極膜２に対して直交するストライブ状）に、膜厚３００〜２０００Å、若しくは２０００〜４０００Åの透明電極膜１５（ＩＴＯ膜等）とをこの順に設けて第２基板Ｂが形成されている。
　【０００６】
　また上記第１基板ＡのＩＴＯ膜２上又は／及び第２基板ＢのＩＴＯ膜１５上より全面には液晶配向膜（図示せず）が設けられている。
　【０００７】
　ビーズ分散型のカラー液晶表示パネルは、図５に示すように、上記第１基板ＡのＩＴＯ膜２形成側と、上記第２基板ＢのＩＴＯ膜１５形成側とを互いに平行にして重ね合わせ、且つ該重ね合わせ内側には適宜間隔の間隙を形成して液晶セル１７を設け、該液晶セル１７内には、粒状の透明なビーズスペーサ３を適量分散塗布した後に液晶Ｌを充填して、基板１、１１をその端縁部にて接着剤（エポキシ系接着剤等のシール材）等の接合シール材１８により接合シールして形成されている。
　【０００８】
　上記液晶カラー表示パネルは、液晶Ｌを封入前に所定の粒径（例えば直径５μｍ程度）をもつ透明ビーズスペーサ３を所定量の均一な間隙を保持するためのスペーサとして分散状態で塗布した後に液晶Ｌが封入され、液晶Ｌと一緒に透明ビーズスペーサ３を、真空チャンバー内にて、第１基板Ａと第２基板Ｂとの重ね合わせ間隙の液晶セル１７内に単層状態で分散封入することによって、そのビーズ粒径に相当する所定量の間隙を保持するようにしている。
　【０００９】
　また従来のビーズ分散型のカラー液晶表示パネルの他の例としては、図７及び図８（ａ）のカラーフィルタ片側のＸ−Ｘ部分側断面図、図８（ｂ）のカラーフィルタ部分平面図、図８（ｃ）のカラーフィルタ全体概要平面図に示すように、一方の透明基板１に対向する他方の透明基板１１には、カラー液晶表示用のカラー画素（ピクセル）となるストライブ状の平面形状のカラー着色されたレッドＲ、グリーンＧ、ブルーＢからなる各色の画素層１２が多数規則的に配列され、該各画素層１２の画素１つずつの互いに隣設境界部に、細線状の遮光性ブラックマトリクス１３が形成されて、全体的に矩形状の画素領域Ｉが設けられているものである。
　【００１０】
　また図７及び図８（ａ）〜（ｃ）に示すように、前記画素領域Ｉの外側には、該画素領域Ｉを取り囲むように前記遮光性ブラックマトリクス１３と連続するべた状の遮光層１６により形成された外郭状（例えば矩形リング状）の遮光性非画素領域Ｎが設けられている。
　【００１１】
　そして、図７に示すように、前記基板１１上に形成された矩形状の画素領域Ｉ全面と、外郭状の非画素領域Ｎ全面若しくは内側部分に懸けて画素層１２を形成し、該画素層１２上全面に透明オーバーコート層１４と、前記各色の画素層１２上に全面的に若しくは通電パターン状（ストライプ状の前記透明電極２に対して直交するストライプ状）に透明電極膜１５（ＩＴＯ膜）とをこの順に設けて第２基板Ｂが形成されている。
　【００１２】
　また上記第１基板ＡのＩＴＯ膜２上又は／及び第２基板ＢのＩＴＯ膜１５上より全面には液晶配向膜（図示せず）が設けられている。
　【００１３】
　ビーズ分散型カラー液晶表示パネルは、図７に示すように、上記第１基板ＡのＩＴＯ膜２形成側と、上記第２基板ＢのＩＴＯ膜１５形成側とを互いに平行にして重ね合わせ、且つ該重ね合わせ内側には適宜間隔の間隙を形成して液晶セル１７を設け、該液晶セル１７内には、粒状の透明なビーズスペーサ３を適量分散塗布した後に液晶Ｌを封入して、基板１、１１を、その端縁部にて接着剤１８（エポキシ系接着剤等のシール材）により接合して形成されている。
　【００１４】
　上記液晶カラー表示パネルは、液晶Ｌを封入前に所定の粒径（例えば直径５μｍ程度）をもつ透明ビーズスペーサ３を所定量の均一な間隙を保持するためのスペーサとして分散塗布した後に液晶Ｌが封入され、液晶Ｌと一緒に透明ビーズスペーサ３を、真空チャンバー内にて、第１基板Ａと第２基板Ｂとの重ね合わせ間隙の液晶セル１７内に単層状態で分散封入することによって、そのビーズ粒径に相当する所定量の間隙を保持するようにしている。
　【００１５】
　【発明が解決しようとする課題】
　上記従来の液晶カラー表示パネルのカラーフィルタにおいては、図５、図７に示すように、前記第２基板Ｂ上に積層形成される画素層１２と透明オーバーコート層１４と透明電極膜１５とによる膜面高さは、特にブラックマトリクス１３及び遮光層１６上において高く形成されている。
　【００１６】
　また前記第２基板Ｂ上に形成される画素領域１のブラックマトリクス１３は、ビーズスペーサ３の粒径より十分大きい所定ピッチ（例えば１００〜３００μｍ）を以て形成され、また、従来の非画素領域Ｎの遮光層１６の膜厚ｔは、遮光機能を持たせるために、約０．６〜０．８μｍ以上の比較的厚い膜厚に設定されており、画素領域Ｉのブラックマトリクス１３のマトリクス幅（例えば１０〜５０μｍ程度）よりも広幅（例えば５００〜５０００μｍ程度、若しくはそれ以上）を以てべた状に形成されている。
　【００１７】
　第１基板Ａと第２基板Ｂ間の液晶封入セル１７内のビーズスペーサ３は、画素領域Ｉにおいては、比較的細幅のブラックマトリクス１３を乗り越えて、該マトリクス１３、１３間の画素上方に相当する比較的薄膜の低位の位置に分散して存在する一方で、非画素領域Ｎにおいては、べた状の膜厚約０．６〜０．８μｍの遮光層１６上側に相当する高位の位置に分散して存在する傾向があり、そのため画素領域Ｉと非画素領域Ｎとに分散するビーズスペーサ３に高低差（ギャップ）が発生して、特にＳＴＮ（スーパー・ツイスト・ネマチック）液晶表示方式の場合には、液晶層の厚さを５±０．５μｍの範囲に収めないと、画素領域Ｉと非画素領域Ｎとの境界部分のパネル表示に白むらが発生し易い。
　【００１８】
　第１基板Ａと第２基板Ｂとの間の液晶封入セル１７内に液晶Ｌと単層状態のスペーサ３とを分散封入して組み立てた上記液晶カラー表示パネルは、大気圧と、液晶封入セル１７内の負圧とにより、第１基板Ａと第２基板Ｂとに対して互いにより接近する方向に応力が掛かり、そのため、図５、図７に示すように前記ビーズスペーサ３の高低差（ギャップ）によって、第１基板Ａと第２基板Ｂ又はそのいずれか一方の基板は、パネル周辺部から中央部に懸けて徐々に接近する方向に変形する。
　【００１９】
　そのため画素領域Ｉと非画素領域Ｎとに分散するビーズスペーサ３の高低差による前記パネルの液晶封入セル１７に不均一な間隙が生じ、画素領域Ｉと非画素領域Ｎとの境界部分のパネル表示に白むらが発生する場合がある。
　【００２０】
　本発明の目的は、ビーズ分散型カラー液晶表示パネルに使用されるカラーフィルタの非画素領域Ｎを改良することによって、画素領域Ｉと非画素領域Ｎとに分散するビーズスペーサ３の高低差を解消し、アッセンブル後のカラー液晶表示パネルの液晶封入セル１７に不均一な間隙が生じたり、パネル表示に白むらが発生しないようにすることにある。
　【００２１】
　【課題を解決するための手段】
　本発明は、透明基板１１上にカラー着色層１２によるカラー表示用の各色画素Ｒ、Ｇ、Ｂが
画素ピッチ６０〜３００μｍで
線幅１０〜５０μｍの
、粒径４〜８μｍのビーズが前記画素領域Ｉと遮光性非画素領域Ｎとに亘って分散して搭載した
であって
前記ビーズを搭載した
、前記ビーズを搭載した遮光性ブラックマトリクス１３が膜厚ｔｉ＝０．４〜０．６μｍであり、且つ前記遮光性パターン２０及び遮光性ブラックマトリクス１３がアクリル系フォトレジスト樹脂１８重量％、カーボンブラック５２重量％および有機溶剤３０重量％からなる遮光性樹脂剤で形成された樹脂ブラックとすることにより、透明基板１１上及びブラックマトリクス１３上と、遮光性パターン２０上とに被覆されたそれぞれカラー着色層１２上面を互いにほぼ同一高さとし、かつ、遮光性パターン２０に十分な遮光性能を得たこと
　【００２２】
　【実施例】
　本発明の液晶表示用カラーフィルタを、図１（ａ）〜（ｃ）及び図２に示す一実施例に従って詳細に説明する。
　【００２３】
　図１（ａ）は、一実施例における液晶表示用カラーフィルタのＸ−Ｘ部分概要側断面図であり、図１（ｂ）は、一実施例における液晶表示用カラーフィルタの部分概要平面図であり、図１（ｃ）は、一実施例における液晶表示用カラーフィルタの全体平面図である。
　【００２４】
　上記一実施例の液晶表示用カラーフィルタは、図１（ａ）に示すように、ガラス基板、プラスチック基板等の透明基板１１上に、顔料分散型フォトレジスト、印刷インキ、染着性樹脂、無機物質多層膜等により着色パターン形成されたカラー着色層１２によるカラー表示用の各色画素Ｒ、Ｇ、Ｂが多数規則的に配列されている。なお、各色画素Ｒ、Ｇ、Ｂの画素ピッチＰｉは、液晶表示用カラーフィルタを用いた液晶表示パネルの画面サイズによって適宜設定されるが、例えば最大６０〜３００μｍのいずれかである。
　【００２５】
　前記カラー着色層１２の下層には、各画素Ｒ、Ｇ、Ｂの１つずつの隣設境界部に、例えば直交格子状（又は図示しないがハニカム形状等網目状）の遮光性ブラックマトリクス１３（マトリクス１３の画線部の幅Ｄｉは、液晶表示用カラーフィルタを用いた液晶表示パネルの画面サイズによって適宜設定されるが、例えば最大１０〜５０μｍ）が、黒色系又は暗色系の顔料分散型フォトレジストや印刷インキ、又は黒色系又は暗色系の染料と染着性樹脂等によりパターン形成されている。
　【００２６】
　図１（ｂ）及び図１（ｃ）に示すように、直交格子状の前記遮光性ブラックマトリクス１３によって囲まれたそれぞれ矩形状（又はハニカム形状等網目状）の各画素Ｒ、Ｇ、Ｂと、その１つずつの隣設境界部にパターン形成された該遮光性ブラックマトリクス１３とによって、矩形状の画素領域Ｉが構成される。
　【００２７】
　前記画素領域Ｉの外側には、これに連続して取り囲むように外郭状の遮光性非画素領域Ｎ（領域Ｎの幅ｎは、液晶表示用カラーフィルタを用いた液晶表示パネルの画面サイズによって適宜設定されるが、例えば最大５００〜５０００μｍ）が、黒色系又は暗色系の顔料分散型フォトレジストや印刷インキ、又は黒色系又は暗色系の染料と染着性樹脂等によりパターン形成されている。
　【００２８】
　本発明において、前記画素領域Ｉは、カラー液晶表示の際に実質的に使用される画素領域であって、前記非画素領域Ｎは、該画素領域Ｉの外側に遮光用として設けられた不透明領域である。
　【００２９】
　上記遮光性非画素領域Ｎは、図１（ａ）〜（ｃ）に示すように、前記画素領域Ｉを囲むようにべた状に、黒色系又は暗色系の顔料分散型フォトレジストや印刷インキ、又は黒色系又は暗色系の染料と染着性樹脂等により、膜厚ｔｎ＝０．４〜０．６μｍ未満の遮光性パターン２０として形成されている。なお、画素領域Ｉのブラックマトリクス１３と該非画素領域Ｎの遮光性パターン２０とは、図示するように互いに連続していることが適当であるが、場合によっては僅少間隔を以て近接するように分離していてもよい。
　【００３０】
　前記画素領域Ｉのブラックマトリクス１３は、遮光性パターン２０と同一材料により形成されていてもよいし、異なる材料で形成されていてもよい。また、該ブラックマトリクス１３の膜厚ｔｉは０．４〜０．６μｍ未満であって、遮光性パターン２０と同一膜厚であることが適当であるが、場合によっては僅かに異なる値の膜厚でもよい。
　【００３１】
　図２は、上記一実施例の液晶表示用カラーフィルタを用いてアッセンブルされたカラー液晶表示パネルのＸ−Ｘ部分概要側断面図であり、従来例にて説明した第１基板Ａと、上記液晶表示用カラーフィルタのカラー着色層１２上に、従来例にて説明したオーバーコート層１４と透明電極膜１５とを設けて構成した第２基板Ｂとを、離間対向して重ね合わせ、離間対向間に形成された液晶封入セル１７内に、平均粒径２ｒの均一した粒径をもつ透明ビーズスペーサ３を分散塗布した後に液晶Ｌを封入し、第１基板Ａと第２基板Ｂの周囲端部を、従来例にて説明したように接着剤等の接合シール材１８にて接合シールしたものである。
　【００３２】
　図２に示すように、第２基板Ｂ上に形成された前記非画素領域Ｎを構成する遮光性パターン２０は、べた状に画素領域Ｉを囲むように、光学濃度Ｄ（Ｄ＝−ｌｏｇｌ１／ｌ０、ｌ０は入射光量（入射光束）、ｌ１は透過光量（透過光束））１．２〜１．５若しくはそれ以上にて、膜厚ｔｎ＝０．４〜０．６μｍ未満の薄膜状にパターン形成されたものであり、該遮光性パターン２０の上面には、画素領域Ｉのカラー着色層１２と同様のカラー着色層１２によって被覆され、前記透明基板１１上及びブラックマトリクス１３上と、遮光性パターン２０上とに被覆されたそれぞれカラー着色層１２上面は互いにほぼ同一高さを保持している。
　【００３３】
　同図２に示すように、第１基板Ａと第２基板Ｂとを互いに離間対向して重ね合わせた対向内面に形成された液晶封入セル１７内には、透明ビーズスペーサ３を分散塗布した後に液晶Ｌが封入されている。
　【００３４】
　使用する透明ビーズスペーサ３は、例えば、直径５μｍ若しくは４μｍ〜８μｍ程度の粒径の均一なガラス若しくは樹脂製の透明ビーズであり、最大粒径２ｒは、液晶封入セル１７を構成する第１基板Ａと第２基板Ｂとの離間距離に対応して選定される。
　【００３５】
　第１基板Ａと第２基板Ｂとを互いに離間対向して重ね合わせた対向内面に透明ビーズスペーサ３を分散散布した後に、液晶Ｌを封入した際は、１個乃至複数個の透明ビーズスペーサ３は、画素領域Ｉから非画素領域Ｎに亘ってほぼ同一高さに平面状に被覆されたカラー着色層１２上面に単層状態で分散配置される。
　【００３６】
　分散配置されたそれぞれ前記スペーサ３の画線領域Ｉと非画線領域Ｎとにおける高低差（ギャップ）は、±０．５μｍ程度あるいはそれ以下に抑えられ、それぞれビーズスペーサ３はほぼ同一高さを保持し、液晶層の厚さ（液晶封入セル１７の間隙）は、例えばそれぞれ直径４μｍ、５μｍ、８μｍのビーズスペーサ３を使用した場合、それぞれ４±０．５μｍ、５±０．５μｍ、８±０．５μｍの範囲に収まる。
　【００３７】
　本発明の液晶表示用カラーフィルタを、図３（ａ）〜（ｃ）及び図４に示す他の実施例に従って詳細に説明する。
　【００３８】
　図３（ａ）は、他の実施例における液晶表示用カラーフィルタのＸ−Ｘ部分概要側断面図であり、図３（ｂ）は、他の実施例における液晶表示用カラーフィルタの部分概要平面図であり、図３（ｃ）は、他の実施例における液晶表示用カラーフィルタの全体平面図である。
　【００３９】
　上記他の実施例の液晶表示用カラーフィルタは、図３（ａ）に示すようにガラス基板、プラスチック基板等の透明基板１１上に、顔料分散型フォトレジスト、印刷インキ、染着性樹脂、無機物質多層膜等により着色パターン形成されたカラー着色層１２によるカラー表示用の各色画素Ｒ、Ｇ、Ｂ（画素ピッチＰｉ）が、多数規則的に配列されている。
　【００４０】
　前記カラー着色層１２の下層には、各画素Ｒ、Ｇ、Ｂの１つずつの隣設境界部に、黒色系又は暗色系の顔料分散型フォトレジストや印刷インキ、又は黒色系又は暗色系の染料と染着性樹脂等により、ストライブ状の遮光性ブラックマトリクス１３（画線部の幅Ｄｉ）がパターン形成され、図３（ｂ）、及び図３（ｃ）に示すように、前記遮光性ブラックマトリクス１３によって囲まれたストライブ状の各画素Ｒ、Ｇ、Ｂと、その１つずつの隣設境界部にパターン形成された該遮光性ブラックマトリクス１３とによって、矩形状の画素領域Ｉが構成される。
　【００４１】
　前記画素領域Ｉの外側には、これに連続して取り囲むように外郭状の遮光性非画素領域Ｎ（領域Ｎの幅ｎは、液晶表示用カラーフィルタを用いた液晶表示パネルの画面サイズによって適宜設定されるが、例えば最大５００〜５０００μｍ）が、黒色系又は暗色系の顔料分散型フォトレジストや印刷インキ、又は黒色系又は暗色系の染料と染着性樹脂等によりパターン形成されている。
　【００４２】
　本発明において、前記画素領域Ｉは、カラー液晶表示の際に実質的に使用される画素領域であって、前記非画素領域は、該画素領域Ｉの外側に遮光用として設けられた領域である。
　【００４３】
　上記遮光性非画素領域Ｎは、図３（ａ）〜（ｃ）に示すように、前記画素領域Ｉを囲むようにべた状に、黒色系又は暗色系の顔料分散型フォトレジストや印刷インキ、又は黒色系又は暗色系の染料と染着性樹脂等により、膜厚ｔｎ＝０．４〜０．６μｍ未満の不透明な遮光性パターン２０として形成されている。なお、画素領域Ｉのブラックマトリクス１３と該非画素領域Ｎの遮光性パターン２０とは、図示するように互いに連続していることが適当であるが、場合によっては僅少間隔を以て近接するように分離していてもよい。
　【００４４】
　前記画素領域Ｉのブラックマトリクス１３は、遮光性パターン２０と同一材料により形成されていてもよいし、異なる材料で形成されていてもよい。また、該ブラックマトリクス１３の膜厚ｔｉは０．４〜０．６μｍ未満であって、遮光性パターン２０と同一膜厚であることが適当であるが、場合によっては僅かに異なる値の膜厚でもよい。
　【００４５】
　上記遮光性非画素領域Ｎは、図３（ａ）〜（ｃ）に示すように、画素領域Ｉを囲むようにべた状に、黒色系又は暗色系の顔料分散型フォトレジストや印刷インキ、又は黒色系又は暗色系の染料と染着性樹脂等により、遮光性パターン２０として形成されている。
　【００４６】
　ところで、遮光性非画素領域Ｎにべた状に形成された前記遮光性パターン２０は、画素領域Ｉを囲むようにべた状に、黒色系又は暗色系の顔料分散型フォトレジストや印刷インキ、又は黒色系又は暗色系の染料と染着樹脂等により、膜厚ｔｎ＝０．４〜０．６μｍ未満のきわめて薄膜で形成されている。そのため、遮光性パターン２０としての十分な光学濃度Ｄが得られず、遮光性非画素領域Ｎとしての満足する遮光性能が得られない。
　【００４７】
　一般に遮光性パターン２０（若しくはブラックマトリクス１３及び遮光性パターン２０）の光学濃度Ｄとしては、１．２〜１．５若しくはそれ以上を必要としているが、遮光性パターン２０（若しくはブラックマトリクス１３及び遮光性パターン２０）をパターン形成するために使用されていた従来の光吸収性着色樹脂（有機溶媒に溶解する合成樹脂又は感光性合成樹脂（フォトレジスト）等を適当量の光吸収性顔料（例えばブラック顔料）により着色した遮光性樹脂剤（例えば樹脂ブラック））を用いて、例えば遮光性パターン２０を膜厚０．８μｍの比較的厚い膜でパターン形成した場合には光学濃度Ｄ＝１．４となって十分な遮光性能が得られるが、膜厚０．４〜０．６μｍ未満のきわめて薄い膜でパターン形成した場合には光学濃度Ｄ＝０．９以下となって十分な遮光性能が得られないものである。
　【００４８】
　従来のカラーフィルタにおける遮光性樹脂剤（樹脂ブラック）の配合比率の例を下記に示す。
　【００４９】
［従来例１］
　樹脂分（アクリル系フォトレジスト樹脂）・・・・・・・・・・・１８重量％
　ブラック顔料（カーボンブラック）・・・・・・・・・・・・・・３４重量％
　溶媒分（有機溶剤）・・・・・・・・・・・・・・・・・・・・・４８重量％
　【００５０】
［従来例２］
　樹脂分（アクリル系フォトレジスト樹脂）・・・・・・・・・・・１８重量％
　全顔料（ブラック顔料、レッド顔料、グリーン顔料、ブルー顔料）３４重量％
　溶媒分（有機溶剤）・・・・・・・・・・・・・・・・・・・・・４８重量％
　【００５１】
　そこで、本発明のカラーフィルタにおいては、遮光性パターン２０（若しくはブラックマトリクス１３及び遮光性パターン２０）のパターン形成には、一実施例として、ブラック顔料の配合比率を高くした遮光性樹脂剤を使用している。
　【００５２】
　本発明において、上記遮光性パターン２０（若しくはブラックマトリクス１３及び遮光性パターン２０）をパターン形成するための遮光性樹脂剤に配合するブラック顔料の配合比率としては、光学濃度Ｄ＝１．２〜１．５若しくはそれ以上を得るために４０〜６０重量％の範囲が適当であるが、好ましくは５０〜５５重量％が適当である。
　【００５３】
　本発明カラーフィルタにおける遮光性樹脂剤（樹脂ブラック）の配合比率の一例を下記に示す。
　【００５４】
　＜実施例１＞
　樹脂分（アクリル系フォトレジスト樹脂）・・・・・・・・・・・１８重量％
　ブラック顔料（カーボンブラック）・・・・・・・・・・・・・・５２重量％
　溶媒分（有機溶剤）・・・・・・・・・・・・・・・・・・・・・３０重量％
　【００５５】
　＜実施例２＞
　樹脂分（アクリル系フォトレジスト樹脂）・・・・・・・・・・・１８重量％
　全顔料（ブラック顔料、レッド顔料、グリーン顔料、ブルー顔料）５２重量％
　溶媒分（有機溶剤）・・・・・・・・・・・・・・・・・・・・・３０重量％
　【００５６】
　上記実施例１又は実施例２による遮光性樹脂剤を用いて、膜厚０．４〜０．６μｍ未満を以てパターン形成された遮光性パターン２０は、光学濃度Ｄ＝１．４以上が達成できて十分な遮光性能が得られる。なお、上記全顔料中におけるブラック顔料と、その他のレッド顔料とグリーン顔料とブルー顔料との配合比率（重量比率）は、ブラック顔料を２０〜５０重量％以上、その他の顔料を１：１：１の比率で５０〜８０重量％以下にて配合することが適当であるが、着色により光吸収性能が向上する範囲の配合比率であれば特に限定されない。
　【００５７】
　上記実施例１又は実施例２に示した樹脂分は、主成分であるアクリル系樹脂によるバインダー樹脂（ポリマーやオリゴマー等の固形状樹脂とモノマー液状樹脂）に重合開始剤や増感剤等の添加剤を配合したアクリル系のネガタイプフォトレジスト（東洋インキ製造（株）製など）であるが、本発明においては、上記バインダー樹脂として上記アクリル系樹脂以外に、ウレタン系樹脂、ポリアミド系樹脂、セルロース系樹脂、ポリエステル系樹脂、ポリビニルアルコール樹脂などを使用した各種フォトレジスト樹脂が使用可能である。
　【００５８】
　図４は、上記他の実施例の液晶表示用カラーフィルタを用いてアッセンブルされたカラー液晶表示パネルのＸ−Ｘ部分概要側断面図であり、従来例にて説明した第１基板Ａと、図３に示した液晶表示用カラーフィルタのカラー着色層１２上に、従来例にて説明したオーバーコート層１４と透明電極膜１５とを設けて構成した第２基板Ｂとを、離間対向して重ね合わせ、離間対向間に形成された液晶封入セル１７内に、平均粒径２ｒの均一した粒径をもつ透明ビーズスペーサ３を分散散布した後に液晶Ｌを封入し、第１基板Ａと第２基板Ｂの周囲端部を従来例にて説明したように接着剤等の接合シール材１８にて接合シールしたものである。
　【００５９】
　図４に示すように、第２基板Ｂ上に形成された前記非画素領域Ｎを構成する遮光性パターン２０は、べた状に画素領域Ｉを囲むように、光学濃度Ｄ＝１．２〜１．５若しくはそれ以上にて、膜厚ｔｎ＝０．４〜０．６μｍ未満の薄膜状にパターン形成されたものであり、画素領域Ｉのブラックマトリクス１３上より被覆されたカラー着色層１２と同様のカラー着色層１２が遮光性パターン２０上に被覆され、透明基板１１上及びブラックマトリクス１３上と、遮光性パターン２０上とに被覆されたそれぞれカラー着色層１２上面は、ほぼ同一高さを保持している。
　【００６０】
　第１基板Ａと第２基板Ｂとを互いに離間対向して重ね合わせた対向内面に形成された液晶封入セル１７に、透明ビーズスペーサ３を分散塗布した後に液晶Ｌを封入した際は、１個乃至複数個の透明ビーズスペーサ３は、画素領域Ｉにあるブラックマトリクス１３と、非画素領域Ｎにある遮光性パターン２０のそれぞれほぼ同一高さの平坦面上に単層状態で分散配置されている。
　【００６１】
　分散配置されたそれぞれ前記透明ビーズスペーサ３の画素領域Ｉと非画素領域Ｎとの間の高低差（ギャップ）は、±０．５μｍ程度あるいはそれ以下に抑えられ、それぞれビーズスペーサ３はほぼ同一高さを保持し、液晶層の厚さ（液晶封入セル１７の間隙）は、例えばそれぞれ直径４μｍ、５μｍ、８μｍのビーズスペーサ３を使用した場合、それぞれ４±０．５μｍ、５±０．５μｍ、８±０．５μｍの範囲に収まる。
　【００６２】
　【作用】
　本発明の液晶表示用カラーフィルタは、透明基板１１上に遮光性非画素領域Ｎが、画素領域Ｉを囲むようにべた状に、膜厚０．４〜０．６μｍ未満のきわめて薄膜の遮光性パターン２０として形成されているため、一実施例（図２参照）又は他の実施例（図４参照）に示すように、前記非画素領域Ｎを構成する薄膜状の遮光性パターン２０上に被覆されたカラー着色層１２上面と、画素領域Ｉを構成する薄膜状のブラックマトリクス１３上に被覆されたカラー着色層１２上面は、高低差が従来よりも短縮され、ほぼ同一高さを保持するようになる。
　【００６３】
　また、本発明における膜厚０．４〜０．６μｍ未満の遮光性パターン２０は、ブラック樹脂の配合比率を調整して光学濃度Ｄを上昇させた遮光性樹脂剤を用いてパターン形成されているので、遮光性パターン２０は、きわめて薄膜であっても、光学濃度Ｄ＝１．４若しくはそれ以上の不透明且つ十分な遮光性能が得られる。
　【００６４】
　また、顔料若しくは染料にて着色されたカラー着色層１２を、前記遮光性パターン２０上面に被覆（オーバーラップ）した場合には、該カラー着色層１２によって光学濃度Ｄ＝１．７〜１．８程度にまで高める作用が生じるものである。
　【００６５】
　このように本発明の液晶表示用カラーフィルタは、これを用いて第２基板Ｂを形成して、第１基板Ａと離間対向して重ね合わせ、離間対向して形成される液晶封入セル１７内に液晶Ｌを封入した際は、分散する透明ビーズスペーサ３は、該ブラックマトリクス１３上及び遮光性パターン２０上の同一面を保持するカラー着色層１２上面に分散配置されて同一高さを保持することができ、画素領域Ｉと非画素領域Ｎとの境界部での高低差を解消できる。
　【００６６】
　したがって、第２基板Ａ（透明基板１１）の変形が回避できて、表示液晶表示パネルとして使用した場合には、画素領域Ｉと非画素領域Ｎとの境界部に発生し易い白むら等の表示不良を解消でき、また遮光性パターン２０（若しくはブラックマトリクス１３と遮光性パターン２０）をきわめて薄膜に形成することによる非画素領域Ｎ（若しくは画素領域Ｉのブラックマトリクス１３及び非画素領域Ｎ）の遮光性能の低下が全く無く、鮮明で画質のより良好な、コントラストのある液晶カラー表示パネルが得られる。
　【００６７】
　【発明の効果】
　本発明の液晶表示用カラーフィルタは、ビーズ分散型の液晶表示パネルに使用されるカラーフィルタであって、画素領域Ｉと非画素領域Ｎとの境界部に発生しやすいビーズスペーサの高低差を解消して、白むら等の表示不良のない、しかも鮮明で画質及びコントラストのより良好な液晶表示パネルを製造するためのカラーフィルターとして効果的である。
【図面の簡単な説明】
　【図１】
　（ａ）は本発明の液晶表示用カラーフィルターの一実施例におけるＸ−Ｘ側断面図であり、（ｂ）は本発明の液晶カラーフィルターの一実施例における部分平面図であり、（ｃ）は本発明の液晶カラーフィルターの一実施例における全体平面図である。
　【図２】
　本発明の一実施例の液晶表示用カラーフィルタを用いてアッセンブルしたカラー液晶表示パネルのＸ−Ｘ部分側断面図である。
　【図３】
　（ａ）は本発明の液晶表示用カラーフィルターの他の実施例におけるＸ−Ｘ側断面図であり、（ｂ）は本発明の液晶カラーフィルターの他の実施例における部分平面図であり、（ｃ）は本発明の液晶カラーフィルターの他の実施例における全体平面図である。
　【図４】
　本発明の他の実施例の液晶表示用カラーフィルタを用いてアッセンブルしたカラー液晶表示パネルのＸ−Ｘ部分側断面図である。
　【図５】
　従来の一例の液晶表示用カラーフィルタを用いてアッセンブルした液晶カラー表示パネルのＸ−Ｘ部分側断面図である。
　【図６】
　（ａ）は従来の一例の液晶表示用カラーフィルターのＸ−Ｘ側断面図であり、（ｂ）は従来の一例の液晶カラーフィルターの部分平面図であり、（ｃ）は従来の一例の液晶カラーフィルターの全体平面図である。
　【図７】
　従来の他の例の液晶表示用カラーフィルタを用いてアッセンブルした液晶カラー表示パネルのＸ−Ｘ部分側断面図である。
　【図８】
　（ａ）は従来の他の例の液晶表示用カラーフィルターのＸ−Ｘ側断面図であり、（ｂ）は従来の他の例の液晶カラーフィルターの部分平面図であり、（ｃ）は従来の他の例の液晶カラーフィルターの全体平面図である。
　【符号の説明】
１…透明基板　２…透明電極膜　３…ビーズスペーサ　１１…透明基板
１２…カラー着色層　１３…ブラックマトリクス　１４…オーバーコート層
１５…透明電極膜　１６…遮光層　１７…液晶封入セル　１８…接合シール材
２０…遮光性パターン
Ａ…第１基板　Ｂ…第２基板　Ｌ…液晶
Ｉ…画素領域　Ｎ…非画素領域　Ｗ…白むら発生領域
Ｒ…レッド画素　Ｇ…グリーン画素　Ｂ…ブルー画素